(57)【特許請求の範囲】
【請求項１】
ケースとカバーとに左右２分割された絶縁容器内に、可動接触子、この可動接触子を開閉スプリングの作用の反転により開閉動作させる開閉機構、過電流引外し装置などが収納された回路遮断器において、
開閉機構を前記容器内に直接組み付け、前記可動接触子の一方の側面を前記ケースの内面に近接させるとともに、前記ケースとカバーの一端部に挟み込んだ蓋板又は補助スイッチ用端子台に前記可動接触子の他方の側面に近接する突部を一体形成し、この突部と前記ケースの内面との間で前記可動接触子の開閉運動を案内し、開閉動作する前記可動接触子の横揺れを押えるようにしたことを特徴とする回路遮断器。
【請求項２】
蓋板又は補助スイッチ用端子台のケース又はカバーとの当接部に突起を一体形成し、この突起を前記ケース又はカバーで押しつぶして前記蓋板又は補助スイッチ用端子台を固定するようにしたことを特徴とする請求項１記載の回路遮断器。
【発明の詳細な説明】
【０００１】
【発明の属する技術分野】
この発明は、ケースとカバーとに左右２分割された絶縁容器内に、接触子、開閉機構、過電流引外し装置などが収納された小型の回路遮断器に関する。
【０００２】
【従来の技術】
この種の回路遮断器は、特開平７−５７６０７号公報にも記載されているように、従来は左右に側板を有する支持フレームの内側に開閉機構を組み付け、この支持フレームを絶縁容器内に組み込むようにしている。
【０００３】
【発明が解決しようとする課題】
従来の上記回路遮断器は開閉機構の組み込みに支持フレームを用いるため、その分だけコスト高となる。しかし、従来は支持フレームの側板を可動接触子の側面に近接させてその開閉運動を案内しているため、支持フレームを省くと可動接触子が横方向に振れ、特にトリップ動作が不安定になる恐れがあった。
この発明はそのような背景の下になされたもので、開閉機構の支持フレームを省いてコストダウンを図る一方で、可動接触子の横振れを防止して動作信頼性を確保することにある。
【０００４】
【課題を解決するための手段】
上記課題を解決するために、この発明は、ケースとカバーとに左右２分割された絶縁容器内に、可動接触子、この可動接触子を開閉スプリングの作用の反転により開閉動作させる開閉機構、過電流引外し装置などが収納された回路遮断器において、開閉機構を前記容器内に直接組み付け、前記可動接触子の一方の側面を前記ケースの内面に近接させるとともに、前記ケースとカバーの一端部に挟み込んだ蓋板又は補助スイッチ用端子台に前記可動接触子の他方の側面に近接する突部を一体形成し、この突部と前記ケースの内面との間で前記可動接触子の開閉運動を案内し、開閉動作する前記可動接触子の横振れを押えるようにするものとする。すなわち、この発明においては、開閉機構の支持フレームを省略して開閉機構を絶縁容器に直接組み付ける一方で、ケースとカバーとの間に挟みこんで設けらる補助スイッチ用端子台や、この端子台が不要な場合に同様に装着される蓋板に突部を一体に形成し、この突部で可動接触子の横振れを防止するものである。
【０００５】
上記回路遮断器において、蓋板又は補助スイッチ用端子台のケース又はカバーとの当接部に突起を一体形成し、この突起を前記ケース又はカバーで押しつぶして前記蓋板又は補助スイッチ用端子台を固定するのがよい。これにより、蓋板あるいは補助スイッチ用端子台のがたつきがなくなり、上記突部による可動接触子の案内が正確になる。
【０００６】
【発明の実施の形態】
以下、図１〜図６に基づいてこの発明の実施の形態を説明する。まず、図１はケース１と図示しないカバーとに左右２分割された絶縁容器のカバーを取り外して、ケース１の内部を示した回路遮断器の側面図、図２はその要部の分解斜視図である。図１はＯＦＦ状態にあり、ハンドルレバー２に突軸３を介して一端部が連結された可動接触子４は、ラッチ５のアーム５ａとの間に掛けられた開閉スプリング６により図１の時計方向に回動力を受け、可動接点７を有する他端部が負荷側端子８の一端のストッパ部に当接して固定接点９から開離している。このＯＦＦ状態から、ハンドルレバー２の頭部に装着された操作ハンドル１０を介してハンドルレバー２を支軸１１を支点に時計方向に回動させると、可動接触子４に対する開閉スプリング６の作用が反転し、可動接触子４は反時計方向に回動して可動接点７が固定接点９に接触する。
【０００７】
このＯＮ状態で、電流は電源側端子１２から過電流引外し装置１３の引外しコイル１４、固定接触子１５、固定接点９、可動接点７、リード線１６を経て負荷側端子８に流れる。また、ＯＮ状態で過電流引外し装置１３が過電流状態を検出し、ピン１７を介してヨーク１８に支持されたアーマチュア１９を復帰スプリング２０に抗して吸引すると、アーマチュア１９は一体に延びる操作部１９ａでラッチ受け２１を支軸２１ａを支点に回動させる。これにより、図１では分かりにくいが、ラッチ５がラッチ受け２１の爪による係止部５ｂの係止を解かれ、ヨーク１８に支持されたピン２２を支点に図１の反時計方向に回動する。その結果、可動接点４に対する開閉スプリング６の作用が反転し、可動接触子４はストッパ２３に当たるまで時計方向に回動して可動接点７が固定接点９から開離する（トリップ動作）。
【０００８】
図２において、ケース１には段付の支軸１１が一体形成され、その大径部にハンドルレバー２が穴２ａを介して直接嵌め込まれる。なお、ケース１にはほぼ左右対称のカバーが突き合わされ、支軸１１に対応してカバーに一体形成された突軸が支軸１１の小径部に嵌合して、ハンドルレバー２を側面から押さえる。可動接触子４は左右の腕の内側に対向して設けられた突軸３によりハンドルレバー２に連結され、開閉スプリング６の一端は可動接触子４の穴４ａに掛けられ、他端はラッチ５におけるアーム５ａの先端の切欠５ｃに掛けられる。一方、ラッチ５を支持するピン２２はヨーク１８の軸受穴１８ａとラッチ５の軸受穴５ｄとに挿入され、ラッチ受け２１と一体の支軸２１ａはヨーク１８の切欠１８ｂに嵌め込まれる。ラッチ５の係止部５ｂはラッチ受け２１の爪２１ｂに係止され、ラッチ受け２１の応動部２１ｃがアーマチュア１９の吸引によりその操作部１９ａで押されると、ラッチ受け２１の回動により爪２１ａから外れる。
【０００９】
更に、図２において、ヨーク１８を含む過電流引外し装置１３（図１）は、ケース１と一体の壁板２５及び２６に囲まれた凹部に嵌め込まれ、固定接点９が接合された固定接触子１５は壁板２５の背面に嵌め込まれる。また、ストッパ２３はケース１と一体の逆Ｌ字状の壁板２７と突部２８との間に嵌め込まれる。
【００１０】
図３は上述した回路遮断器のケース１とカバー２４とを概略的に示したものである。ケース１及びカバー２４の周囲には壁が設けられているが、負荷側（図３の左手前側）は周囲壁がなく、その部分は蓋板２９又は補助スイッチ用端子台（以下、単に端子台という）３０（図４）により閉塞されるようになっている。図５に蓋板２９及びケース１の一部を図３の反対側から拡大して示す。図５において、蓋板２９はケース１に当接する側壁２９ａとカバー２４に当接する側壁２９ｂとを有し、側壁２９ａの段部にはケース１の壁板２７の下面に当接する突起２９ｃが形成され、また側壁２９ｂにはカバー２４の周縁内側の図示しない突条と嵌合する段差部２９ｄが形成されている。更に、蓋板２９の内側には水平に突出する大小２つの板状の突部２９ｅ及び２９ｆが形成されている。
【００１１】
上記蓋板２９はケース１とカバー２４との結合時に、同時にその間に挟み込んで図１に示すように装着する。その際、側壁２９ａをケース１の突条３１に沿わせ、かつ突部２９ｅの切欠２９ｇ（図４）を突条３１に嵌合させる。また、カバー２４はすでに述べたように図示しない突条を側壁２９ｂの段差部２９ｄに嵌合させ、逆Ｌ字状に形成された下端部は負荷側端子８の背後の壁板３１及び３２の上に載せる。その場合、蓋板２９はケース１の壁板２７と壁板３１との間で上下方向に圧縮力を受け、突起２９ｃが押しつぶされて隙間なく強固に固定される。ここで、蓋板２９の突部２９ｆは図５に示すようにケース１側がＬ形に切り欠かれており、この切欠部の側面はケース１に組み付けられた可動接触子４のカバー２４側の側面に近接する。
【００１２】
図６はこの状態を示すもので、図１のVI−VI線に沿う要部横断面図である。図６において、ハンドルレバー２に連結された可動接触子４の図の左側の側面はケース１の内面に近接し、右側の側面は蓋板２９における突部２９ｆの側面に近接している。可動接触子４は突軸３により上端部でのみハンドルレバー２に連結され、突部２９ｆがない場合には開閉運動時にカバー２４側に横振れする可能性がある。これに対して、図示構成によれば、可動接触子４はケース１と蓋板２９の突部２９ｆとの間で適度の隙間を介して開閉運動を案内されるので、開閉操作の繰り返しによっても横触れすることがない。
【００１３】
図１の回路遮断器において、開閉状態を検知する補助スイッチが設けられる場合には、蓋板２９に代えて図４に示す端子台３０が装着される。端子台３０の形状は図４では概略的に示したが、ケース１とカバー２４との間に挟み込むための構造は蓋板２９と実質的に同じとし、ハンドルレバー２の開閉運動に連動する補助スイッチ３４は端子台３０の内側に垂直に突出形成された突部３０ａの側面に取り付けられ、その反対側の側面に形成された図示しない突条が可動接触子４のカバー２４側の側面に近接して、その開閉運動を案内する。
【００１４】
【発明の効果】
以上の通り、この発明によれば、ケースとカバーとに左右２分割された絶縁容器内に、可動接触子、この可動接触子を開閉スプリングの作用の反転により開閉動作させる開閉機構、過電流引外し装置などが収納された回路遮断器において、開閉機構を前記容器内に直接組み付け、可動接触子の一方の側面を前記ケースの内面に近接させるとともに、前記ケースとカバーの一端部に挟み込んだ蓋板又は補助スイッチ用端子台に前記可動接触子の他方の側面に近接する突部を一体形成し、この突部と前記ケースの内面との間で前記可動接触子の開閉運動を案内するようにすることにより、開閉機構の支持フレームを省略して部品点数を削減しながら、可動接触子の開閉運動時の横振れを押さえ、安価で動作信頼性の優れた回路遮断器を構成することができる。また、その場合に、蓋板又は補助スイッチ用端子台のケース又はカバーとの接触部に突起を一体形成し、挟み込み時にこの突起を押しつぶすことにより、蓋板又は補助スイッチを隙間なく強固に固定することができる。
【図面の簡単な説明】
【図１】この発明の実施の形態を示す回路遮断器の内部の側面図である。
【図２】図１の回路遮断器の要部の分解斜視図である。
【図３】図１の回路遮断器のケース、カバー及び蓋板の斜視図である。
【図４】補助スイッチ用端子台の概略斜視図である。
【図５】図３における蓋板の反対側から見た拡大斜視図である。
【図６】図１のVI−VI線に沿う要部横断面図である。
【符号の説明】
１    ケース
２    ハンドルレバー
４    可動接触子
５    ラッチ
６    開閉スプリング
１０    操作ハンドル
１３    過電流引外し装置
１５    固定接触子
１６    リード線
２４    カバー
２９    蓋板
２９ｃ  突起
２９ｅ  突部
３０    補助スイッチ用端子台
【図１】
0003786220.tif 000002
【図２】
0003786220.tif 000003
【図３】
0003786220.tif 000004
【図４】
0003786220.tif 000005
【図５】
0003786220.tif 000006
【図６】
0003786220.tif 000007